(57)【要約】【課題】一回の接続作業で確実な電気的導通及びガス導通を可能にして準備時間の短縮を図る気腹器用コネクタ及び気腹装置を提供する。【解決手段】気腹器３０に設けられたレセプタクル内に固設された送気口金４２に連結されてガス導通状態になる送気用ポート２４と、レセプタクル４０内に配置された装置側接続部４３に連結されて装置側接点部材４３ａ、４３ｂに対して電気的導通状態になる端子２５ａ、２５ｂを備えるヒータ側ポート２５と、送気用ポート２４を通過した気腹用気体を送気する送気チューブ２１の一端部が固設されるチューブ固定部２３ｅと、送気チューブ２１内に設けられ、ヒータ側ポート２５の端子２５ａ、２５ｂに接続された電線に電流が流れることによってヒータ部２２ａが発熱して送気チューブ２１内に送気されている気腹用気体を加温するヒータ２２と、を具備する。【選択図】図２
2019136126.tif 000002
【特許請求の範囲】
【請求項１】
気腹器に設けられたレセプタクル内に固設された送気口金に連結されてガス導通状態になる送気用ポートと、
前記レセプタクル内に配置された装置側接続部に連結されて装置側接点に対して電気的導通状態になるヒータ側接点を備えるヒータ側ポートと、
前記送気用ポートを通過した気腹用気体を送気する送気チューブの一端部が固設されるチューブ固定部と、
前記送気チューブ内に設けられ、前記ヒータ側ポートのヒータ側接点に接続された電線に電流が流れることによってヒータ部が発熱して該送気チューブ内に送気されている前記気腹用気体を加温するヒータと、
を具備することを特徴とする気腹器用コネクタ。
【請求項２】
前記気腹器用コネクタ先端側の外周面に本体係合部を備え、
前記本体係合部は、前記気腹器用コネクタを前記レセプタクル内に接続する際に該レセプタクルが備えるレセプタクル係合部に係入することを特徴とする請求項１に記載の気腹器用コネクタ。
【請求項３】
前記レセプタクル内に設けられた前記送気口金及び前記装置側接続部のうち、
前記送気口金は前記レセプタクルに対して平行に固設され、
前記装置側接続部は、前記レセプタクルの中心軸に平行な軸方向及び前記平行な軸に交差する方向に対して予め定めた量移動自在である
ことを特徴とする請求項２に記載の気腹器用コネクタ。
【請求項４】
前記ヒータ側ポートは、ポート内周面から該ポートの中心軸に向かって突出して該軸に沿って延設された規制凸部を有し、
前記装置側接続部の予め定めた位置には前記規制凸部が係入する係合溝を有する、
ことを特徴とする請求項３に記載の気腹器用コネクタ。
【請求項５】
気腹用チューブと、気腹器と、を具備する気腹装置であって、
前記気腹用チューブは、
一端と他端とを有する気腹用気体を送気するための送気チューブと、
前記送気チューブ内に設けられ、該送気チューブ内に送気される前記気腹用気体を加温するためのヒータと、
前記気腹用気体を前記送気チューブに導く送気用ポート及び前記ヒータのヒータ部に電流を流す電線が接続されるヒータ側接点を備えるヒータ側ポートが設けられ、前記送気チューブの一端部が固設されるチューブ固定部を有する気腹器用コネクタと、を具備し、
前記気腹器は、
気腹器筐体の予め定めた位置に設けられ、前記気腹器用コネクタが内挿される凹部を有するレセプタクルと、
前記レセプタクル内の底面から突出して固設され、前記気腹器用コネクタが前記レセプタクルに接続されたときには前記送気用ポートが連結されてガス導通状態になる送気口金と、
前記レセプタクル内の底面から突出して軸方向及び該軸方向に対して交差する方向に移動自在に配置され、前記気腹器用コネクタが前記レセプタクルに接続されたときには前記ヒータ側接点に対して電気的導通状態になる装置側接点を有する装置側接続部と、
を具備することを特徴とする気腹装置。
【請求項６】
前記気腹器用コネクタは、先端側の外周面に本体係合部を備え、
前記本体係合部は、前記気腹器用コネクタを前記レセプタクル内に接続する際に該レセプタクルが備えるレセプタクル係合部に係入することを特徴とする請求項５に記載の気腹装置。
【請求項７】
前記装置側接続部は、前記レセプタクルに設けられる保持部材に配置されて該保持部材の中心軸の軸方向及び該軸に直交する方向に移動自在であることを特徴とする請求項５に記載の気腹装置。
【請求項８】
前記ヒータ側ポートのポート内周面から突出する規制凸部には逃がし面を設け、
前記装置側接続部に設けられ前記規制凸部が係入する係合溝の端面には第１案内面とテーパ形状の第２案内面とを有する案内部を設ける、
ことを特徴とする請求項７に記載の気腹装置。
【発明の詳細な説明】
【技術分野】
【０００１】
本発明は、気腹器に接続される気腹器用コネクタ及び気腹器と気腹用チューブとを備える気腹装置に関する。
【背景技術】
【０００２】
近年、患者への侵襲を小さくする目的で、開腹することなく、治療処置を行う腹腔鏡下外科手術（以下、外科手術とも記載する）が行われている。この外科手術においては、患者の腹部に複数のトラカールが穿刺される。穿刺された第１のトラカールの挿通孔には例えば観察用の内視鏡が挿入され、第２のトラカールの挿通孔には処置具が挿入される。
【０００３】
また、外科手術においては、腹腔内に気腹用気体として例えば二酸化炭素ガス（以下、炭酸ガスとも記載する）などを第３のトラカールを介して注入する。炭酸ガスを注入することによって、内視鏡の視野、処置具を操作するための領域を確保できる。
【０００４】
腹腔内への炭酸ガスの供給量は、気腹器内に設けられた制御装置及びバルブユニット等によって制御している。そして、腹腔内の圧力は、気腹器内の炭酸ガス供給路に設けた圧力センサによって検出する。
【０００５】
また、外科手術時において、患者は、麻酔による中枢神経の抑制、室温、炭酸ガスの流入、或いは、送水等の要因で体温が低下してシバリングといわれる震え症状を引き起こすことがある。このため、送気する炭酸ガスの温度を体温近傍まで加熱して腹腔内に供給している。
【０００６】
特許文献１には腹腔内への気腹用気体の供給をスムーズに行え、かつ使い勝手に優れた気腹装置が開示されている。  
【先行技術文献】
【特許文献】
【０００７】
【特許文献１】２００５−２４５７７２号公報
【発明の概要】
【発明が解決しようとする課題】
【０００８】
しかしながら、特許文献１において気腹器には気腹用チューブのコネクタと信号ケーブルのコネクタとがそれぞれ接続されている。つまり、作業者は、外科手術前に気腹器に対してガス導通及び電気的導通のための２回のコネクタ接続を行って気腹装置を準備する作業を完了する。したがって、多くの機材を準備する必要がある外科手術において、接続回数の減少は、準備時間の短縮に直結する。
【０００９】
本発明は上記事情に鑑みてなされたものであり、一回の接続作業で確実な電気的導通及びガス導通を可能にして準備時間の短縮を図る気腹器用コネクタ及び気腹装置を提供することを目的にしている。
【課題を解決するための手段】
【００１０】
本発明の一態様の気腹器用コネクタは、気腹器に設けられたレセプタクル内に固設された送気口金に連結されてガス導通状態になる送気用ポートと、前記レセプタクル内に配置された装置側接続部に連結されて装置側接点に対して電気的導通状態になるヒータ側接点を備えるヒータ側ポートと、前記送気用ポートを通過した気腹用気体を送気する送気チューブの一端部が固設されるチューブ固定部と、前記送気チューブ内に設けられ、前記ヒータ側ポートのヒータ側接点に接続された電線に電流が流れることによってヒータ部が発熱して該送気チューブ内に送気されている前記気腹用気体を加温するヒータと、を具備している。
【００１１】
本発明の一態様の気腹装置は、気腹用チューブと、気腹器と、を具備する気腹装置であって、前記気腹用チューブは、一端と他端とを有する気腹用気体を送気するための送気チューブと、前記送気チューブ内に設けられ、該送気チューブ内に送気される前記気腹用気体を加温するためのヒータと、前記気腹用気体を前記送気チューブに導く送気用ポート及び前記ヒータのヒータ部に電流を流す電線が接続されるヒータ側接点を備えるヒータ側ポートが設けられ、前記送気チューブの一端部が固設されるチューブ固定部を有する気腹器用コネクタと、を具備し、前記気腹器は、気腹器筐体の予め定めた位置に設けられ、前記気腹器用コネクタが内挿される凹部を有するレセプタクルと、前記レセプタクル内の底面から突出して固設され、前記気腹器用コネクタが前記レセプタクルに接続されたときには前記送気用ポートが連結されてガス導通状態になる送気口金と、前記レセプタクル内の底面から突出して軸方向及び該軸方向に対して交差する方向に移動自在に配置され、前記気腹器用コネクタが前記レセプタクルに接続されたときには前記ヒータ側接点に対して電気的導通状態になる装置側接点を有する装置側接続部と、を具備している。
【発明の効果】
【００１２】
本発明によれば、一回の接続作業で確実な電気的導通及びガス導通を可能にして準備時間の短縮を実現する気腹器用コネクタ及び気腹装置を提供できる。
【図面の簡単な説明】
【００１３】
【図１】気腹装置を有する内視鏡システムを説明する図
【図２】気腹器及び気腹用チューブを備える気腹装置を説明する模式図
【図３Ａ】気腹用チューブの気腹器用コネクタを説明する斜視図
【図３Ｂ】図２の矢印Ｙ３Ｂ方向から気腹器用コネクタを見た図であって、気腹器用コネクタを説明する正面図
【図４】図２の矢印Ｙ４Ａ方向から気腹器を見た図であって、気腹器の前面を説明する図
【図５Ａ】保持部材を説明する図
【図５Ｂ】図５Ａの保持部材を正面から見た図
【図６Ａ】装置側接続部を説明する図
【図６Ｂ】装置側接続部を背面から見た図であって、図６Ａの矢印Ｙ６Ｂ方から装置側接続部を見た図
【図６Ｃ】図６ＢのＹ６Ｃ−Ｙ６Ｃ線断面図
【図７Ａ】装置側接続部の保持部材への取付状態を説明する図
【図７Ｂ】装置側接続部を保持部材に取り付けたときの遊嵌状態を説明する図
【図７Ｃ】装置側接続部の端面側が自重で倒れて保持部中心軸に対して鉛直下方に傾いた状態を説明する図
【図８Ａ】気腹器用コネクタを接続凹部内に挿入している状態を説明する図
【図８Ｂ】送気用ポートが送気口金に近接すると共に、自重で傾いて配置されている装置側接続部に対してヒータ側ポートが近接した状態を示す図
【図８Ｃ】Ｏリングが口金側案内面に接触して変形され、逃がし面が係合溝内に侵入した状態を説明する図
【図８Ｄ】気腹器用コネクタのＯリングが口金案内面に密着して移動すると共に、規制凸部が係合溝の底面に当接して移動する状態を説明する図
【図８Ｅ】接続作業が完了した状態を説明する図
【発明を実施するための形態】
【００１４】
以下、図面を参照して本発明の実施の形態を説明する。  
なお、以下の説明に用いる各図において、各構成要素を図面上で認識可能な程度の大きさとするため、構成要素毎に縮尺を異ならせてあるものもある。即ち、本発明は、これらの図に記載された構成要素の数量、構成要素の形状、構成要素の大きさの比率、及び各構成要素の相対的な位置関係のみに限定されるものではない。
【００１５】
図１に示す符号１は内視鏡システムである。内視鏡システム１は、気腹装置２と、内視鏡３と、光源装置４と、ビデオプロセッサ５と、モニタ６と、手術器具である電気メス７と、電気メス電源装置８と、で主に構成されている。符号１０は患者であり、符号１１はガスボンベである。ガスボンベ１１には気腹用気体である二酸化炭素が液化した状態で貯留されている。
【００１６】
患者１０の腹部には第１トラカール９Ａ、第２トラカール９Ｂ、及び、第３トラカール９Ｃが穿刺される。内視鏡３は、第１トラカール９Ａの挿通孔を通過して腹腔内に導入される。電気メス７は、第２トラカール９Ｂの挿通孔を通過して腹腔内に導入される。第３トラカール９Ｃは気腹用トラカールである。
【００１７】
内視鏡３からはユニバーサルコード１２が延出されている。ユニバーサルコード１２の基端部には内視鏡コネクタ１３が設けられている。内視鏡コネクタ１３は、光源装置４に接続される。符号１４は電気ケーブルである。電気ケーブル１４の一端部は、内視鏡コネクタ１３に着脱自在に接続され、他端部はビデオプロセッサ５に着脱自在に接続される。符号１５は電気メスから延出する電気コードであって、電気メス電源装置８に接続される。
【００１８】
光源装置４は、内視鏡３に照明光を供給する。ビデオプロセッサ５は、内視鏡３から伝送された撮像信号を信号処理してモニタ６に映像信号を出力する。この結果、モニタ６の画面上には内視鏡３で得られた内視鏡画像が表示される。電気メス７は、電気メス電源装置８から出力された高周波電流を患部組織に流してジュール熱を発生させて患部組織の切開や出血部位の止血凝固等を行う。
【００１９】
図１、図２に示すように気腹装置２は、気腹用チューブ２０と、気腹器３０と、を備えている。  
気腹用チューブ２０は、送気チューブ２１と、ヒータ２２と、気腹器用コネクタ２３と、を主に備えている。送気チューブ２１は、気腹用気体を送気するためのチューブ体である。送気チューブ２１の一端側の端部２１ｆは、気腹器用コネクタ２３に固設される。送気チューブ２１の他端側の端部２１ｒは、第３のトラカール９Cに接続される。
【００２０】
送気チューブ２１内にはヒータ２２が配設される。ヒータ２２は、電線であり、コイル状のヒータ部２２ａを有している。ヒータ２２は、電線に電流を流すことによってヒータ部２２ａが発熱する。ヒータ部２２ａから発生する熱によって送気チューブ２１内に送気された気腹用気体が加温される。  
なお、ヒータ部２２ａをコイル状としているが、ヒータ部２２ａはコイル形状に限定されるものでは無い。
【００２１】
なお、図２に示すようにヒータ２２のヒータ部２２ａより一端部側の電線を第１電線２２ｂ、他端部側の電線を第２電線２２ｃと記載する。
【００２２】
図３Ａに示すように気腹器用コネクタ２３は、筒状であって例えば円筒形状である。符号２３ａは位置決め面であって、本体係合部である。位置決め面２３ａは、気腹器用コネクタ２３を装着する時の向きを規定する平面であり、気腹器用コネクタ２３の先端側の外周面の予め定めた位置に設けてある。  
なお、本体係合部は、平面に限定されるものでは無く、凸部等であってもよい。
【００２３】
図２に示すように気腹器用コネクタ２３の他端側には基端面から突出する環状のチューブ固定部２３ｅが形成されている。チューブ固定部２３ｅの外周面には送気チューブ２１の一端部２１ｆが被覆される。一端部２１ｆは、気腹用気体がチューブ内周面と固定部外周面との隙間から漏出することを防止して固定される。符号２３ｆはロック溝であり、気腹器用コネクタ２３の外周面の予め定めた位置に設けられている。
【００２４】
また、気腹器用コネクタ２３には該気腹器用コネクタ２３の中心軸ａ２３に沿って２つの貫通孔２３ｂ、２３ｃが形成されている。第１貫通孔２３ｂはガス用貫通孔であり、第２貫通孔２３ｃは電気用貫通孔である。  
符号２３ｓ１は本体先端側空間であり、符号２３ｓ２は本体基端側空間である。
【００２５】
図２、図３Ａ、図３Ｂに示すように第１貫通孔２３ｂ内には送気用ポート２４が予め定めた状態で固設されている。第２貫通孔２３ｃ内にはヒータ側ポート２５が予め定めた状態で固設されている。
【００２６】
送気用ポート２４が有する貫通孔２４ｈの内径ｄは、予め定めた寸法に設定されている。貫通孔２４ｈの先端側の内周面はポート側案内面２４ｔである。ポート側案内面２４ｔは、テーパ面であって、貫通孔２４ｈの中途から先端開口にいくにしたがって内径が連続的に大きくなるように設定してある。  
符号２４ｏはＯリング２４ｏである。Ｏリング２４ｏは、シール部材であり、貫通孔２４ｈの予め定めた位置に設けてある。
【００２７】
ヒータ側ポート２５の内孔にはヒータ２２の第１電線２２ｂが接続される第１のヒータ側接点となる第１端子（図３Ｂ等の符号２５ａ参照）と、第２電線２２ｂが接続される第２のヒータ側接点となる第２端子（図３Ｂ等の符号２５ｂ参照）とが予め定めた距離離間して並設されている。
【００２８】
符号２５ｃは規制凸部であり、ポート内周面から中心軸方向に向かって予め定めた高さ突出し、該中心軸に沿って延設している。ヒータ側ポート２５についてはさらに後述する。図２の符号２６は封止部である。封止部２６は、第２貫通孔２３ｃの基端側開口に例えば接着剤を塗布して設けられる。封止部２６は、本体基端側空間２３ｓ２、送気チューブ２１内に送気されている気腹用気体が第２貫通孔２３ｃ内を通過して外部に漏出することを防止する。
【００２９】
図２に示すように気腹器３０内には送気管路３１、制御部３２、電源３３が主に備えられている。符号４０はレセプタクルである。レセプタクル４０には気腹器用コネクタ２３が接続されるようになっている。
【００３０】
図４に示すように気腹器３０の筐体前面は、フロントパネルとしてのパネル部３０ａと、表示部３０ｂと、を有している。符号３０ｃは第１の開口、符号３０ｄは第２の開口である。  
符号３９ａは第１室温測定センサであり、第１の開口３０ｃに対して予め定めた位置関係で気腹器３０内に設けられている。符号３９ｂは第２室温測定センサであり、第２の開口３０ｃに対して予め定めた位置関係で気腹器３０内に設けられている。
【００３１】
図２に示すように送気管路３１には、減圧器３４と、流量圧力調整器３５、流量センサ３６、電磁弁３７、圧力センサ３８が設けられている。
【００３２】
制御部３２は、気腹器３０内の各構成部位の制御を行う。制御部３２には電源３３から電力が供給される。減圧器３４は、ガスボンベ１０から供給される高圧ガスを、予め定めた圧力に減圧する。
【００３３】
流量圧力調整器３５は、電気駆動弁の一種で、弁部に作用する減圧ばねの力を変化させることにより弁部の開度を電気的に多段階調整する。このことで、送気圧を所定の圧力値に調整できる。そして、流量圧力調整器３５は、制御部３２から入力される制御信号に基づいて、減圧器３４で減圧された気体の圧力を予め定めた範囲内の送気圧に変化させる。
【００３４】
流量センサ３６は、体腔内に供給される炭酸ガスの流量を測定し、測定結果を制御部３２へ出力する。電磁弁３７は、制御部３２から入力される制御信号に基づいて開閉動作を行う。圧力センサ３８は、送気管路３１内の圧力を測定する。圧力センサ３８の測定結果は、制御部３２へ出力される。
【００３５】
上述した第１室温測定センサ３９ａと第２室温測定センサ３９ｂとはそれぞれ開口３０ｃ、３０ｄを介して手術室内の温度を計測する。室温測定センサ３９ａ、３９ｂの計測結果は、制御部３２へ出力される。
【００３６】
制御部３２は、第１の室温測定センサ３９ａにより測定された第１の測定結果と、第２の室温測定センサ３９ｂにより測定された第２の測定結果との温度差を算出して、その温度差が予め定めた値以上あるか否かを検出する。
【００３７】
制御部３２は、温度差が予め定めた値内であることを検出した場合、室温を正しく測定できていると判定する。そして、制御部３２は、それぞれの室温測定センサ３９ａ、３９ｂによって測定された第１の測定結果及び第２の測定結果に基づいて、ヒータ２２の加熱量、すなわち、ヒータ２２に流す電流値を調整する。具体的には、制御部３２は、第１の測定結果及び第２の測定結果の平均値に基づいて制御信号をヒータ制御部３２ａに出力する。
【００３８】
ヒータ制御部３２ａは、入力された制御信号に基づいてヒータ２２に流す電流値を調整する。そして、ヒータ部２２ａが所定の温度に加熱されて、送気チューブ２１内を流れる送気ガスが加温される。この結果、患者１０の腹腔内には患者１０の体温と略同じ温度の送気ガスが供給される。
【００３９】
図２、図４に示すようにレセプタクル４０は、パネル部３０ａの予め定めた位置に設けられている。符号４１は接続凹部、符号４２は送気口金、符号４３は装置側接続部である。  
送気口金４２及び装置側接続部４３は、円筒形状である。
【００４０】
接続凹部４１は、気腹器用コネクタ２３が収容される凹部である。接続凹部４１には気腹器用コネクタ２３の位置決め面２３ａに対応する平面である係合面４１ａが設けられている。また、接続凹部４１の底面４１ｄからは送気口金４２、装置側接続部４３が立設している。また、符号４１ｂはロック部である。ロック部４１ｂは、Ｏリング、あるいは、複数のボールプランジャ等であり、接続凹部４１の内周面の予め定めた位置に突設されている。
【００４１】
係合面４１ａは、レセプタクル係合部であり、平面に限定されるものでは無く、上述した凸部が係入する凹部であってもよい。
【００４２】
位置決め面２３ａと、係合面４１ａとを位置合わせすることによって、気腹器用コネクタ２３を接続凹部４１内に予め定めた状態で収容することができるようになっている。
【００４３】
送気口金４２は、レセプタクル４０に一体、または、別部材を該レセプタクル４０に一体に固定して設けられる。レセプタクル４０の中心軸ａ４０と送気口金４２の中心軸（不図示）とは平行である。
【００４４】
送気口金４２は、貫通孔である送気孔４２ｈを有している。送気孔４２ｈ内には送気管路３１を通過した気腹用気体が供給されるようになっている。
【００４５】
接続凹部４１内における送気口金４２の外径は、貫通孔２４ｈの内径ｄより予め定めた寸法、小さく設定してある。したがって、送気用ポート２４の貫通孔２４ｈ内に送気口金４２が配置された状態において、送気口金４２の外周面と貫通孔２４ｈの内周面との間に所定の隙間が設けられる。
【００４６】
この配置状態おいて、Ｏリング２４ｏは、送気口金４２の外周面によって圧縮されて該外周面に弾性力によって密着する。密着状態において、送気される気腹用気体は、接続凹部４１の内周面と気腹器用コネクタ２３の外周面との隙間に漏出することが防止される。
【００４７】
送気口金４２の基端側の外周面は、口金側案内面４２ｔである。口金側案内面４２ｔは、テーパ面であって、外周面の中途から基端開口にいくにしたがって外径が連続的に小さくなるように設定してある。
【００４８】
装置側接続部４３内には装置側接点である接点部材４３ａ、４３ｂが設けられている。第１接点部材４３ａには第１端子２５ａが接続され、第２接点部材４３ｂには第１端子２５ｂが接続されるようになっている。装置側接続部４３は、レセプタクル４０に対して後述するように移動可能に配置される。符号４６は係合溝であり、係合溝４６に規制凸部２５ｃが係入することによって装置側接続部４３を予め定めた位置に配設させる機能を有している。
【００４９】
図２の符号５０は保持部材であり、符号４５はカバーである。カバー４５は、後述するように保持部材５０に対して揺動自在に配置された装置側接続部４３が該保持部材５０から脱落することを防止する。カバー４５は、雄ねじ４５ｍによってレセプタクル４０の背面４０ｂに固定される。  
なお、保持部材５０をレセプタクル４０に対して別部材としているが、レセプタクル４０が保持部材５０と略同様な保持部を備えるようにしてもよい。
【００５０】
図５Ａ、図５Ｂに示すように保持部材５０は、略凸字形状である。保持部材５０は、貫通孔５１と、底面５２ａを有する穴５２と、凸部５３と、を備えている。貫通孔５１の中心軸と、穴５２の中心軸は同軸（図５ＢのＣ０）である。貫通孔５１の内径はＤ１で、穴５２の内径はＤ２である。
【００５１】
符号５４は、一対のネジ孔である。ネジ孔５４には保持部材５０をレセプタクル４０の背面４０ｂに一体に取り付けるための固定ネジ（不図示）が配置される。
【００５２】
凸部５３は、穴５２の内周面５２ｂよりも穴５２の中心軸方向に長さＬ突出している。凸部５３の先端は、貫通孔５１内に位置することがないようにその長さが設定されている。凸部５３は、長手軸方向に延出しており、凸部５３の幅は、Ｗに設定してある。
【００５３】
図６Ａ、図６Ｂに示すように装置側接続部４３は、例えば樹脂製であって２つの接点部材４３ａ、４３ｂが設けられている。２つの接点部材４３ａ、４３ｂは、予め定めた距離離間して並設されている。
【００５４】
装置側接続部４３は円筒形状であって、中途にフランジ４３ｃを有している。また、フランジ４３ｃの一面側には係合溝（図７Ｃの符号４６参照）を有するポート係合部４３ｄが設けられている。
【００５５】
ポート係合部４３ｄの外径は、貫通孔５１の内径Ｄ１より予め小さく設定してある。  
フランジ４３ｃの外径は、穴５２の内径Ｄ２より予め小さく設定してある。フランジ４３ｃの厚みは、フランジ４３ｃが例えば穴５２内に収容されるように設定してある。  
なお、フランジ４３ｃの厚みを穴５２の開口から所定量突出するように設定してもよい。
【００５６】
フランジ４３ｃにはフランジ溝４３ｅが形成されている。フランジ溝４３ｅは、接点部材４３ａ、４３ｂの端部を外部に対して露出させる穴４３ａｈ、４３ｂｈの中心ｃ１、ｃ２同士を結ぶ線分Ｌｏの中点Ｃｏを通過する直交線Ｌｃを対称軸にした凹形状である。
【００５７】
フランジ溝４３ｅ内には凸部５３が配置される。フランジ溝４３ｅの幅は、凸部５３の幅Ｗより予め幅広に設定してある。フランジ溝４３ｅの深さは、凸部５３の突出長Ｌより予め大きく設定してある。
【００５８】
図６Ｃに示すように係合溝４６は、フランジ溝４３ｅの線分Ｌｏを挟んで反対側に位置している。係合溝４６は、長手軸方向に延出しており、規制凸部２５ｃが係入する。係合溝４６の端面４６ａ側には傾斜面である第１案内面４６ｂとテーパ形状の第２案内面４６ｃとを有する案内部４６ｄが設けられている。係合溝４６の溝幅Ｗｏは、規制凸部２５ｃの厚み幅に対して予め定めた公差分大きく設定してある。第１案内面４６ｂは、係合溝４６の底面側に設けられ、第２案内面４６ｃは、係合溝４６の対向する側面側にそれぞれ設けられている。
【００５９】
図７Ａに示すように装置側接続部４３のポート係合部４３ｄを不図示のレセプタクルに固定された保持部材５０の貫通孔５１内に挿通させていく。そして、凸部５３をフランジ溝４３ｅに配置させてフランジ４３ｃを穴５２内に配置させる。
【００６０】
すると、図７Ｂに示すように、ポート係合部４３ｄが貫通孔５１に対して遊嵌配置されると共に、フランジ４３ｃが穴５２に対して遊嵌配置される。また、凸部５３もフランジ溝４３ｅに対して遊嵌配置される。この結果、保持部材５０の貫通孔５１からレセプタクル４０の接続凹部４１内に突出している装置側接続部４３は、図７Ｃの矢印Ｙ７Ｃに示すように保持部中心軸ａ５０に沿って軸方向及び図７Ｂに示す該軸ａ５０に直交するＸ方向およびＹ方向に加えて、該軸ａ５０に交差する複数の矢印に示す各方向を含む全方向に移動自在である。なお、保持部中心軸ａ５０はレセプタクル４０の中心軸ａ４０に平行で軸ある。
【００６１】
そして、図７Ｃに示すように接続凹部４１内に突出した装置側接続部４３の端面４６ａ側が自重で倒れる。このことによって、気腹器３０のレセプタクル４０内に設けられた装置側接続部４３のヒータ側接続部中心軸ａ４３は、保持部材５０の保持部中心軸ａ５０に対して鉛直下方に傾いて配置される。
【００６２】
ここで、気腹器用コネクタ２３のレセプタクル４０への接続を説明する。  
本実施形態において、気腹用チューブ２０の気腹器用コネクタ２３を気腹器３０のレセプタクル４０に接続することによって気腹用チューブ２０の気腹器３０への接続が完了する。
【００６３】
まず、作業者は、図２の矢印に示すように気腹器用コネクタ２３を接続凹部４１内に挿入する。その際、作業者は、図８Ａに示すように気腹器用コネクタ２３の位置決め面２３ａと接続凹部４１の係合面４１ａとの位置を合わせて挿入していく。
【００６４】
すると、図８Ａ、図８Ｂに示すように接続凹部４１内において送気用ポート２４が送気口金４２に近接すると共に、自重で傾いて配置されている装置側接続部４３に対してヒータ側ポート２５が近接する。
【００６５】
ここで、気腹器用コネクタ２３がさらに接続凹部４１内に挿入されていくことによって、図８Ｂ中で示すように送気用ポート２４のポート側案内面２４ｔが送気口金４２の口金側案内面４２ｔ内に配置され、ヒータ側ポート２５の規制凸部２５ｃの逃がし面２５ｄが案内部４６ｄ内に配置される。
【００６６】
この後、作業者がさらに気腹器用コネクタ２３を接続凹部４１内に挿入していくことによって、図８Ｃに示すようにＯリング２４ｏが口金側案内面４２ｔに接触して変形される。また、逃がし面２５ｄが係合溝４６内に侵入する。
【００６７】
そして、図８Ｄに示すように気腹器用コネクタ２３は、Ｏリング２４ｏが口金側案内面４２ｔに密着して移動していく。このとき、規制凸部２５ｃが係合溝４６の底面に当接してヒータ側接続部中心軸ａ４３の傾きを変化させつつ移動していく。
【００６８】
そして、気腹器用コネクタ２３がレセプタクル４０に予め定めた状態で装着されて接続作業が完了する。すると、図８Ｅに示すようにＯリング２４ｏが送気口金４２の外周面の予め定めた位置に密着し、第２端子２５ｂ及び第１端子（不図示）が第２接点部材４３ｂ内及び第１接点部材（不図示）内に侵入する。
【００６９】
このとき、送気口金４２と送気用ポート２４とが接続されてガス導通状態になるとともに、装置側接続部４３の接点部材４３ａ、４３ｂとヒータ側ポート２５の端子２５ａ、２５ｂとが接続されて電気的導通状態になる。また、レセプタクル４０のロック部４１ｂが接続本体２３のロック溝２３ｆに係入して、気腹器用コネクタ２３がレセプタクル４０から脱落することが防止される。
【００７０】
このように、気腹器用コネクタ２３に送気用ポート２４及びヒータ側ポート２５を固設する。一方、気腹器３０が備えるレセプタクル４０の接続凹部４１内に送気口金４２を固設する一方、装置側接続部４３を軸方向及び該軸に対して交差する方向に移動自在に配置する。その上で、気腹器用コネクタ２３に位置決め面２３ａを設け、レセプタクル４０に係合面４１ａを設け、ヒータ側ポート２５に規制凸部２５ｃを設け、装置側接続部４３に係合溝４６を設ける。
【００７１】
これらのことによって、気腹器用コネクタ２３がレセプタクル４０の接続凹部４１内に予め定めた状態で挿入されていく。また、気腹器用コネクタ２３の挿入に伴って規制凸部２５ｃが係合溝４６に係入される。その後、送気口金４２と送気用ポート２４とが接続されてガス導通状態になり、接点部材４３ａ、４３ｂと端子２５ａ、２５ｂとが電気的導通状態になる。すなわち、気腹器用コネクタ２３をレセプタクル４０に接続する一回の接続作業で、ガス導通のための接続及び電気的導通のための接続を完了することができる。
【００７２】
尚、本発明は、以上述べた実施形態のみに限定されるものではなく、発明の要旨を逸脱しない範囲で種々変形実施可能である。
【符号の説明】
【００７３】
１…内視鏡システム  ２…気腹装置  ３…内視鏡  ４…光源装置  ５…ビデオプロセッサ  ６…モニタ  ７…電気メス  ８…電気メス電源装置  ９Ａ、９Ｂ、９Ｃ…トラカール  １０…患者  １０…ガスボンベ  １２…ユニバーサルコード  １３…内視鏡コネクタ  １４…電気ケーブル  ２０…気腹用チューブ  ２１…送気チューブ  ２２…ヒータ  ２２ａ…ヒータ部  ２２ｂ、２２ｃ…電線  ２３…気腹器用コネクタ  ２３ａ…位置決め面  ２３ｂ…第１貫通孔  ２３ｃ…第２貫通孔  ２３ｅ…チューブ固定部  ２３ｆ…ロック溝  ２４…送気用ポート  ２４ｈ…貫通孔  ２４ｔ…ポート側案内面  ２５…ヒータ側ポート  ２５ａ、２５ｂ…端子  ２５ｃ…規制凸部  ２５ｄ…逃がし面  ２６…封止部  ３０…気腹器  ３０ａ…パネル部  ３０ｂ…表示部  ３０ｃ、３０ｄ…開口  ３１…送気管路  ３１ａ…ヒータ制御部  ３２…制御部  ３３…電源  ３４…減圧器  ３５…流量圧力調整器  ３６…流量センサ  ３７…電磁弁  ３８…圧力センサ  ３９ａ、３９ｂ…室温測定センサ  ４０…レセプタクル  ４０ｂ…背面  ４１…接続凹部  ４１ａ…係合面  ４１ｂ…ロック部  ４１ｄ…底面  ４２…送気口金  ４２ｈ…送気孔  ４２ｔ…口金側案内面  ４３…装置側接続部  ４３ａ…接点部材  ４３ａｈ…穴  ４３ｂ…接点部材  ４３ｃ…フランジ  ４３ｄ…ポート係合部  ４３ｅ…フランジ溝  ４４…Ｏリング  ４５…カバー  ４６…係合溝  ４６ａ…端面  ４６ｂ、４６ｃ…案内面  ４６ｄ…案内部  ５０…保持部材  ５１…貫通孔  ５２…穴  ５２ａ…底面  ５２ｂ…内周面  ５３…凸部  ５４…ネジ孔
【図１】
2019136126.tif 000003
【図２】
2019136126.tif 000004
【図３Ａ】
2019136126.tif 000005
【図３Ｂ】
2019136126.tif 000006
【図４】
2019136126.tif 000007
【図５Ａ】
2019136126.tif 000008
【図５Ｂ】
2019136126.tif 000009
【図６Ａ】
2019136126.tif 000010
【図６Ｂ】
2019136126.tif 000011
【図６Ｃ】
2019136126.tif 000012
【図７Ａ】
2019136126.tif 000013
【図７Ｂ】
2019136126.tif 000014
【図７Ｃ】
2019136126.tif 000015
【図８Ａ】
2019136126.tif 000016
【図８Ｂ】
2019136126.tif 000017
【図８Ｃ】
2019136126.tif 000018
【図８Ｄ】
2019136126.tif 000019
【図８Ｅ】
2019136126.tif 000020